(57)【要約】      （修正有）【課題】液冷式コンピュータ冷却システムに適用される集熱器の提供。【解決手段】ケース５１，５２と冷却板５３を具え、該ケースが入水口５１２、出水口５１３、上表面及び集熱面を具え、冷却板５３は溶接方式でケース５１，５２の上表面に密接に接合され、且つこの冷却板５３が外向きに凸設された複数の冷却フィン５３１を具え、冷却機能を具えた集熱器５が形成され、集熱器５の上方の冷却フィン５３と空気の対流により、集熱器５が集熱機能のほかに、部分冷却機能を具えたものとされ、全体の液冷システムの冷却効果を高め、コンピュータ内の発熱アクセサリの発生する熱エネルギーを効果的に発散させる。【選択図】図５
2006108601.tif 000002
【特許請求の範囲】
【請求項１】
ケースと冷却板を具え、
該ケースは入水口、出水口、上表面及び下表面を具え、該下表面が集熱面とされ、
該冷却板は溶接方式でケースの上表面に密接に接合され、且つこの冷却板が外向きに凸設された複数の冷却フィンを具えたことを特徴とする、集熱器。
【請求項２】
請求項１記載の集熱器において、ケースの上表面に開孔が開設され、冷却板が密接に該開孔に接合されたことを特徴とする、集熱器。
【請求項３】
請求項１記載の集熱器において、ケースが下ケースと、該下ケースの上に閉じ合わされる上ケースとを具えたことを特徴とする、集熱器。
【請求項４】
請求項３記載の集熱器において、ケース内部に密閉収容室が設けられ、該密閉収容室に、下ケースに凸設された複数の区画片が設けられたことを特徴とする、集熱器。
【請求項５】
請求項３記載の集熱器において、入水口と出水口が上ケースに開設されたことを特徴とする、集熱器。
【請求項６】
請求項１記載の集熱器において、冷却板が溶接方式でケースの上表面に接合されたことを特徴とする、集熱器。
【請求項７】
請求項３記載の集熱器において、上ケースと下ケースが溶接方式で密封接合されたことを特徴とする、集熱器。
【請求項８】
請求項１記載の集熱器において、ケースが金属材料で形成されたことを特徴とする、集熱器。
【請求項９】
請求項１記載の集熱器において、ケースの下表面の集熱面が発熱する電子装置に隣接することを特徴とする、集熱器。
【発明の詳細な説明】
【技術分野】
【０００１】
本発明は一種の集熱器に係り、特に液冷式コンピュータ冷却システムに適用される集熱器の構造に関する。
【背景技術】
【０００２】
図１、２、３は周知の液冷式コンピュータ冷却システムのシステム構造図、周知の液冷式コンピュータ集熱器の上下カバー分離図、及び周知の液冷式コンピュータ集熱器の正面図である。
【０００３】
周知の液冷式コンピュータ集熱器２は、コンピュータのＣＰＵ１に接合され、並びに冷却器３と直列に接続されて液冷循環システムを形成し、集熱器２がコンピュータのＣＰＵ１の熱エネルギーを吸収した後、熱エネルギーを付帯した液体が冷却器３に送られて冷却が行われ、冷却後の液体が更に集熱器２に戻され、循環を形成する。簡単に述べると、周知の液冷式コンピュータ集熱器２の構造は、上カバー２１、冷却板２３及び下カバー２２で組成され、その作用原理は、下カバー２２内の複数のフィン２３１を具えた冷却板２３を利用し、フィン２３１でコンピュータのＣＰＵ１が動作時に発生する熱エネルギーを収集して、流動液体に付帯させて液冷循環システムの冷却器３或いはその他の部分に送り、冷却作業を行う、というものである。
【０００４】
しかし、現在、コンピュータのＣＰＵの速度はますます高くなり、このためコンピュータのＣＰＵが作業時に発生する熱エネルギーも多くなっており、更にスピーディーで更に効率的なコンピュータ液冷循環システムが必要とされている。
【発明の開示】
【発明が解決しようとする課題】
【０００５】
本発明は一種の集熱器の構造を提供することを目的とし、それは、ケース、及び冷却板を具え、そのうち、ケースは入水口、出水口、上表面及び下表面を具え、この下表面は集熱面とされて直接発熱装置に接合され、冷却板は密接にケースの上表面に当接し、外向きに凸設された複数の冷却フィンを具えているものとする。
【０００６】
集熱器の上方の冷却フィンと空気の自然対流作用により、集熱器が集熱機能を具備するほか、部分冷却機能を具備し、全体の液冷システムの冷却効果を増し、コンピュータ内の発熱する電子装置の発生する熱エネルギーを効果的に発散させる。
【０００７】
本発明のケース及び冷却板の材質は金属材質とされ、冷却板は溶接方式でケースの上表面に密着するよう接合されるか、半田付け、ネジ止め或いはその他の等しい効果を達成しうる方式により接合される。
【課題を解決するための手段】
【０００８】
請求項１の発明は、ケースと冷却板を具え、
該ケースは入水口、出水口、上表面及び下表面を具え、該下表面が集熱面とされ、
該冷却板は溶接方式でケースの上表面に密接に接合され、且つこの冷却板が外向きに凸設された複数の冷却フィンを具えたことを特徴とする、集熱器としている。
請求項２の発明は、請求項１記載の集熱器において、ケースの上表面に開孔が開設され、冷却板が密接に該開孔に接合されたことを特徴とする、集熱器としている。
請求項３の発明は、請求項１記載の集熱器において、ケースが下ケースと、該下ケースの上に閉じ合わされる上ケースとを具えたことを特徴とする、集熱器としている。
請求項４の発明は、請求項３記載の集熱器において、ケース内部に密閉収容室が設けられ、該密閉収容室に、下ケースに凸設された複数の区画片が設けられたことを特徴とする、集熱器としている。
請求項５の発明は、請求項３記載の集熱器において、入水口と出水口が上ケースに開設されたことを特徴とする、集熱器としている。
請求項６の発明は、請求項１記載の集熱器において、冷却板が溶接方式でケースの上表面に接合されたことを特徴とする、集熱器としている。
請求項７の発明は、請求項３記載の集熱器において、上ケースと下ケースが溶接方式で密封接合されたことを特徴とする、集熱器としている。
請求項８の発明は、請求項１記載の集熱器において、ケースが金属材料で形成されたことを特徴とする、集熱器としている。
請求項９の発明は、請求項１記載の集熱器において、ケースの下表面の集熱面が発熱する電子装置に隣接することを特徴とする、集熱器としている。
【発明の効果】
【０００９】
本発明の集熱器は少なくとも以下のような長所を具備している。
１．ＣＰＵ或いはその他の電子発熱装置の冷却速度を増すことができる。
２．直接且つ事前に発熱電子装置に対して部分冷却を行うことができる。
３．本発明の集熱器の冷却フィン５３１は先に一部の熱量を発散させ、残りの熱量は流動液体により次の冷却器により冷却されるため、液冷システムの冷却効果を増すことができる。
【発明を実施するための最良の形態】
【００１０】
本発明の集熱器は、ケースと冷却板を具え、該ケースが入水口、出水口、上表面及び集熱面を具え、冷却板は溶接方式でケースの上表面に密接に接合され、且つこの冷却板が外向きに凸設された複数の冷却フィンを具え、冷却機能を具えた集熱器が形成され、集熱器の上方の冷却フィンと空気の対流により、集熱器が集熱機能のほかに、部分冷却機能を具えたものとされ、全体の液冷システムの冷却効果を高め、コンピュータ内の発熱アクセサリの発生する熱エネルギーを効果的に発散させる。
【実施例１】
【００１１】
図４は本発明の好ましい実施例の集熱器の正面図であり、図示されるように、本実施例の集熱器５は、ケース５０と冷却板５３を具え、該ケース５０は、入水口５１２、出水口５１３、上表面５１０、及び下表面５２０を具えている。そのうち、この下表面５２０は集熱面５２１とされ、該集熱面５２１は発熱する電子装置６、例えばＣＰＵに隣接している。該冷却板５３はケース５０の上表面５１０に密接に接合され、且つ冷却板５３は外向きに突出する複数の冷却フィン５３１を具えている。
【００１２】
図５は本発明の好ましい実施例の集熱器の立体分解図であり、図示されるように、ケース５０の上表面５１０に更に開孔５１１が開設され、且つ冷却板５３は溶接方式でこの開孔５１１に密接に接合されるか、或いは半田付け、ネジ止め、或いはその他の同じ効果を有する方法により密接に接合される。そのうち、ケース５０は更に下ケース５２、及び該下ケース５２の上に閉じ合わされる上ケース５１を具えている。入水口５１２と出水口５１３は全て上ケース５１に開設されるか、或いは全て下ケース５２に開設されるか、或いは上ケース５１或いは下ケース５２にそれぞれ開設される。このほか、ケース５０の内部に更に密閉収容室５０１が設けられ、且つ密閉収容室５０１は複数の区画片５４１を具え、該区画片５４１は下ケース５２に凸設されている。
【００１３】
図６は本発明の集熱器の立体組合せ図であり、そのうち、ケース５０の材質は金属材質とされ、本実施例では銅で形成されている。
【００１４】
上述の実施例は説明のために提示されたものであって、本発明の実施範囲を限定するものではなく、本発明に基づきなしうる細部の修飾或いは改変は、いずれも本発明の請求範囲に属するものとする。
【図面の簡単な説明】
【００１５】
【図１】周知の液冷式コンピュータ冷却システムのシステム構造図である。
【図２】周知の液冷式コンピュータ集熱器の上下カバー分離図である。
【図３】周知の液冷式コンピュータ集熱器の正面図である。
【図４】本発明の実施例の集熱器の正面図である。
【図５】本発明の実施例の集熱器の立体分解図である。
【図６】本発明の実施例の集熱器の立体組合せ図である。
【符号の説明】
【００１６】
１  ＣＰＵ              ２  液冷式コンピュータ集熱器    ２１  上カバー
２２  下カバー          ２３  冷却板                    ２３１  フィン
３  液冷式コンピュータ冷却器  ５  集熱器                ５０  ケース
５１  上ケース          ５１０  上表面                  ５１１  開孔
５１２  入水口          ５１３  出水口                  ５２  下ケース
５２０  下表面          ５２１  集熱面                  ５３  冷却板
５３１  冷却フィン      ５４  冷却板                    ５４１  フィン
６  電子装置
【図１】
2006108601.tif 000003
【図２】
2006108601.tif 000004
【図３】
2006108601.tif 000005
【図４】
2006108601.tif 000006
【図５】
2006108601.tif 000007
【図６】
2006108601.tif 000008